【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
遊技の制御を行う主制御手段と、その主制御手段により制御される遊技に伴った表示が行われる表示装置と、その表示装置で行われる表示の制御を行う表示制御手段と、その表示制御手段と主制御手段とに駆動電圧を供給する電源手段とを備えた遊技機において、
前記表示制御手段は、
前記表示装置で表示を行うための第１の表示情報があらかじめ記憶されると共に、その記憶された表示情報が読み出し可能に構成された第１記憶手段と、
前記第１の表示情報の少なくとも一部に対応した第２の表示情報が、その対応する表示情報に対して少ない情報量であらかじめ記憶されると共に、その記憶された第２の表示情報が読み出し可能に構成された第２記憶手段と、
前記電源手段により駆動電圧が供給されると、前記第１及び第２の表示情報を前記第１及び第２記憶手段からそれぞれ読み出す読出手段と、
その読出手段により読み出された第１及び第２の表示情報が記憶されると共に、書き込み及び読み出し可能に構成された第３記憶手段と、
前記読出手段により読み出される第１の表示情報が前記第３記憶手段に記憶されるまでの間は前記表示装置の表示を前記第２の表示情報に基づいて行うと共に、前記第１の表示情報が前記第３記憶手段に記憶された後に前記表示装置の表示をその第１の表示情報に基づいて行う演出実行手段とを備えていることを特徴とする遊技機。
【請求項２】
前記演出実行手段は、
前記第１又は第２の表示情報に基づいて複数の変動演出の表示を実行可能に構成され、
前記第２の表示情報に基づく変動演出の表示が実行されていない場合に、前記第２の表示情報に基づく変動演出から第１の表示情報に基づく変動演出への切り替えを行う切替手段を備えていることを特徴とする請求項１記載の遊技機。
【請求項３】
始動条件が成立することに伴い抽選を行う抽選手段と、
前記始動条件が成立した場合に表示情報の変動演出を開始する変動演出開始手段と、
前記抽選手段による抽選結果に応じた表示情報を停止表示させる停止表示手段とを備え、
前記演出実行手段により実行される１の変動演出は、１の始動条件の成立に伴い前記変動演出開始手段により表示情報の変動演出が開始されてから、前記停止表示手段により表示情報が停止表示されるまでの期間であり、
前記切替手段は、前記１の変動演出が開始される前に、前記第２の表示情報に基づく変動演出から第１の表示情報に基づく変動演出への切り替えを行うものであることを特徴とする請求項２記載の遊技機。
【請求項４】
前記第１記憶手段から第１の表示情報を読み出して前記第３記憶手段へ書き込む書込処理は、前記表示制御手段において所定間隔毎に繰り返し実行される割込処理で行われる一方、
前記演出実行手段により前記第２の表示情報に基づいて実行される変動演出の表示処理は、前記表示制御手段の起動時から所定間隔毎に繰り返し実行されるメイン処理で行われるものであることを特徴とする請求項２又は３に記載の遊技機。
【手続補正２】
【補正対象書類名】明細書
【補正対象項目名】０００９
【補正方法】変更
【補正の内容】
【０００９】
この遊技機の電源が投入されると、電源手段により駆動電圧が供給されて読出手段により第１及び第２の表示情報が読み出される。その読み出された第１及び第２の表示情報は第３記憶手段に記憶されるが、第２の表示情報が第１の表示情報に比べて情報量が少ないので、第２の表示情報の第３記憶手段への記憶が早期に完了される。そして、第１の表示情報が第３記憶手段に記憶されるまでは、演出実行手段により第２の表示情報に基づいた表示が表示装置で行われる。
請求項２記載の遊技機は、請求項１記載の遊技機において、前記演出実行手段は、前記第１又は第２の表示情報に基づいて複数の変動演出の表示を実行可能に構成され、前記第２の表示情報に基づく変動演出の表示が実行されていない場合に、前記第２の表示情報に基づく変動演出から第１の表示情報に基づく変動演出への切り替えを行う切替手段を備えている。
請求項３記載の遊技機は、請求項２記載の遊技機において、始動条件が成立することに伴い抽選を行う抽選手段と、前記始動条件が成立した場合に表示情報の変動演出を開始する変動演出開始手段と、前記抽選手段による抽選結果に応じた表示情報を停止表示させる停止表示手段とを備え、前記演出実行手段により実行される１の変動演出は、１の始動条件の成立に伴い前記変動演出開始手段により表示情報の変動演出が開始されてから、前記停止表示手段により表示情報が停止表示されるまでの期間であり、前記切替手段は、前記１の変動演出が開始される前に、前記第２の表示情報に基づく変動演出から第１の表示情報に基づく変動演出への切り替えを行うものである。
請求項４記載の遊技機は、請求項２又は３に記載の遊技機において、前記第１記憶手段から第１の表示情報を読み出して前記第３記憶手段へ書き込む書込処理は、前記表示制御手段において所定間隔毎に繰り返し実行される割込処理で行われる一方、前記演出実行手段により前記第２の表示情報に基づいて実行される変動演出の表示処理は、前記表示制御手段の起動時から所定間隔毎に繰り返し実行されるメイン処理で行われるものである。
【手続補正３】
【補正対象書類名】明細書
【補正対象項目名】００１０
【補正方法】変更
【補正の内容】
【００１０】
請求項１記載の遊技機によれば、第２の表示情報が第１の表示情報に比べて早期に読み出しが完了され、演出実行手段により第１の表示情報が読み出されるまでは第２の表示情報に基づく表示が表示装置で行われるので、表示装置における表示の開始を電源投入後、早期に行うことができる。よって、遊技機の電源投入直後に遊技者が遊技を開始した場合にも、表示装置での表示を早期に開始できる。
請求項２記載の遊技機によれば、請求項１記載の遊技機の奏する効果に加え、演出実行手段が、第１又は第２の表示情報に基づいて複数の変動演出の表示を実行可能に構成されており、第２の表示情報に基づく変動演出の表示が実行されていない場合に、第２の表示情報に基づく変動演出から第１の表示情報に基づく変動演出への切り替えが切替手段により行われる。
ここで、例えば、遊技中の遊技者は、大当たりへの期待ができるか否かを確認するために表示装置の変動演出に集中する。そこで、遊技中に表示装置の変動演出が突然切り替わると、遊技者はその遊技機が故障したと思い遊技を中断する。しかし、遊技者が遊技を中断すると、遊技機の稼働率を低下させてしまうし、遊技機の故障は、遊技者に不快感を与えてしまう。
しかし、請求項２記載の遊技機によれば、第２の表示情報に基づく変動演出の表示が実行されていない場合に、第２の表示情報に基づく変動演出から第１の表示情報に基づく変動演出に切り替えられるので、変動演出の途中に突然表示が切り替わることを防止できる。よって、遊技機の稼働率の低下を抑制できると共に、遊技者に不快感を与えることを低減できる。
請求項３記載の遊技機によれば、請求項２記載の遊技機の奏する効果に加え、１の変動演出が開始される前に、第２の表示情報に基づく変動演出から第１の表示情報に基づく変動演出に切り替えるので、１の変動演出が終了し且つ次の１の変動演出が開始されるまでの間に、切替手段による表示情報の切り替えを行うことができる。よって、変動演出の途中に突然表示が切り替わることを防止できる。なお、遊技機への電源の投入後に最初に開始される１の変動演出の前に、第１の表示情報が読み出されて第３記憶手段に記憶されていれば、最初の１の変動演出が開始される前に切替手段による表示情報の切り替えを行うこともできる。
また、例えば、１の始動条件の成立時に抽選手段による抽選結果が当たりであった場合には、表示情報の停止表示に連続して特別遊技状態に移行する遊技機もある。この遊技機の場合、当たりの表示情報が停止表示してから特別遊技状態に移行するまでの間、又は、特別遊技状態の終了後から次の１の変動演出が開始されるまでの間に、第２の表示情報に基づく変動演出から第１の表示情報に基づく変動演出に切り替えることができる。
請求項４記載の遊技機によれば、請求項２又は３に記載の遊技機の奏する効果に加え、表示処理をメイン処理で行いつつ、書き込み処理が割込処理で行われるので、第２の表示情報による変動演出を行いつつ第１の表示情報を効率よく読み出して書き込むことができる。
【手続補正４】
【補正対象書類名】明細書
【補正対象項目名】０２６８
【補正方法】変更
【補正の内容】
【０２６８】
ここで、本実施の形態において、請求項１記載の遊技機の第２の表示情報を読み出す読出手段としては図１８及び図２２のＳ１２０６の処理とＳ１２０７の処理とが該当し、請求項１記載の遊技機の第１の表示情報を読み出す読出手段としては図２０のＳ１４０２の処理と図２３のＳ１６０２の処理とが該当し、請求項１記載の遊技機の第２の表示情報に基づいて表示を行う演出実行手段としては図１８及び図２２のＳ１２０８の処理で簡易演出情報が演出データに設定された場合のＳ１２１４の処理とＳ１２１８の処理とが該当し、請求項１記載の遊技機の第１の表示情報に基づいて表示を行う演出実行手段としては図１８及び図２２のＳ１２２４の処理でキャラクタ情報が演出データに設定された場合のＳ１２１４の処理とＳ１２１８の処理とが該当し、請求項２記載の遊技機の切替手段としては図１８及び図２２のＳ１２１３の処理が該当し、請求項３記載の遊技機の抽選手段としては図１２のＳ６０４の処理が該当し、請求項３記載の遊技機の変動演出開始手段としては図１０のＳ４０７及びＳ４０９の処理により設定されたコマンドに基づいて図１８及び図２２のＳ１２１２の処理で変動を開始する処理が該当し、請求項３記載の遊技機の停止表示手段としては図９のＳ３１０の処理で設定されたコマンドに基づいて表示制御装置１１４で変動を停止させる処理が該当し、請求項４記載の遊技機の割込処理としては図２０のインターバル割込Ｘが該当し、請求項４記載の遊技機のメイン処理としては図１８のメイン処理が該当する。
【手続補正５】
【補正対象書類名】明細書
【補正対象項目名】０２７０
【補正方法】変更
【補正の内容】
【０２７０】
１０              パチンコ機（遊技機）
８１              表示装置（第３図柄表示装置）
１１０            主制御装置（主制御手段）
１１４            表示制御装置（表示制御手段）
１１５            電源装置（電源手段）
２３３ｅ          演出中フラグ
２３４ｂ          キャラクタ情報記憶領域（第３記憶手段の一部）
２３４ｃ          簡易演出情報記憶領域（第３記憶手段の一部）
２３５ａ          機種情報メモリ
２３５ｂ          キャラクタ情報メモリ（第１記憶手段）
２３５ｃ          簡易演出情報メモリ（第２記憶手段）